(57)【要約】【課題】太陽光発電パネルのセルサイズを大きくすることなく発電量を賄い、ユーザに利便性を与えることができる端末装置を提供する。【解決手段】、端末装置は、太陽電池２５と、太陽電池の発電量を検知する発電量検知部１１と、太陽電池により充電されるバッテリ２４の残量を検知するバッテリ残量検知部１２と、負荷３０によって消費される消費電力を検知する消費電流検知部１３と、バッテリ残量検知部１２により検知されたバッテリの残量が第１の所定値以下であると判定された場合に、発電量検知部１１により検知された太陽電池の発電量と、消費電流検知部１３により検知された消費電力とに基づいて、負荷を所定時間駆動するために必要な充電時間を算出し、算出された充電時間を画面表示する主制御部１４と、を備える。【選択図】図３
2008042772.tif 000002
【特許請求の範囲】
【請求項１】
太陽電池と、
前記太陽電池により充電されるバッテリと、
前記太陽電池の発電量を検知する第１の検知手段と、
前記第１の検知手段により検知された前記太陽電池の発電量に対応する発電状態を表示する表示手段と、
前記バッテリの残量を検知する第２の検知手段と、
端末装置の所定の機能によって消費される消費電力量を検知する第３の検知手段と、
前記第２の検知手段により検知されたバッテリの残量が第１の所定値以下であると判定された場合に、前記第１の検知手段により検知された太陽電池の発電量と、前記第３の検知手段により検知された消費電力量とに基づいて、前記端末装置の所定の機能を所定時間駆動するために必要な充電時間を算出する算出手段とを備え、
前記表示手段は、
前記算出された充電時間を表示することを特徴とする端末装置。
【請求項２】
他の端末装置とデータ通信を行う通信手段と、
データ通信中、前記第２の検知手段により検知されたバッテリの残量が前記第１の所定値以下であると判定された場合に、前記通信手段によるデータの受信を停止する緊急停止モードに設定する制御手段とを備える
ことを特徴とする請求項１記載の端末装置。
【請求項３】
前記緊急停止モードが設定されている場合において、
前記制御手段は、
前記端末装置が備える特定キーが押下されたことを検知したときに前記緊急停止モードを解除する
ことを特徴とする請求項２記載の端末装置。
【請求項４】
前記表示手段は、前記第１の検知手段により検知された太陽電池の発電量に基づき演算される通話可能時間を表示する
ことを特徴とする請求項１から３のいずれか１項に記載の端末装置。
【請求項５】
前記制御手段は、
前記第２の検知手段により検知されたバッテリの残量が、前記第１の所定値より大きい値でかつ第２の所定値以下であると判断された場合に、前記端末装置の消費電力を低減する省電力モードを設定する
ことを特徴とする請求項２記載の端末装置。
【請求項６】
前記制御手段は、前記省電力モード設定時において、あらかじめユーザによって入力され取得される環境情報に基づき、前記端末装置の機能の制御を行う請求項５記載の端末装置。
【発明の詳細な説明】
【技術分野】
【０００１】
本発明は、太陽光発電パネルにより発電された電力で充電される太陽電池を駆動電源とすることが可能な端末装置に関し、特に、携帯電話端末等に用いて好適な、端末装置に関する。
【背景技術】
【０００２】
従来、機動性を高めるために、太陽電池を多数配置した太陽光発電パネルと、この太陽光発電パネルで発電された電力で充電されるバッテリとを電力装置として備え、負荷に電力を供給する携帯端末が知られている。
【０００３】
ところで、上記した電力装置を備えた機器において、使い勝手の向上をはかるための技術が従来から提案されており、たとえば、充電完了時間を表示させる技術（たとえば、特許文献１参照）、蓄電池に過大な負荷をかけることなく表示装置周囲の明るさと発電量に応じて発光する節電効果と視認性の高い表示装置を実現する技術（たとえば、特許文献２参照）、通信端末装置が使用されていない時に通信端末装置により消費される電力を大幅に低減できる技術（たとえば、特許文献３参照）が知られている。
【０００４】
【特許文献１】特開平１−２０６８４６号公報
【特許文献２】特開２００２−１８９４５０号公報
【特許文献３】特開平８−２２３３１１号公報
【特許文献４】特開２００３−２２４８９２号公報
【特許文献５】特開２００２−５５６２８号公報
【特許文献６】特開平８−２２３６５１号公開
【発明の開示】
【発明が解決しようとする課題】
【０００５】
しかしながら上記した携帯端末によれば、構造上、セルサイズの制限を受け、太陽電池により全ての状況下で十分な発電量を賄うことができない。したがって、バッテリの延命化のための手当てが必要とされていた。
一方、十分な発電量を得るためにはセルサイズを大きくして対応するしかなく、この場合、携帯端末の特徴である携帯性が損なわれ、商品性が無いものになってしまう。
【０００６】
さらに、太陽光量によってはどの程度の時間で充電が完了するかが不明であり、発電量が少ない場合は、特許文献２に開示されるように、手動による省電力モードへの切り替えが必要であり、非常に煩わしいものであった。
また、バッテリの残量が少なくなった状態（ローバッテリ状態）で緊急で電話をかけたい場合、どのくらい充電したらどのくらいの時間使用できるか等の情報を知ることができず、したがって利便性に乏しいものであった。
【０００７】
本発明の目的は、太陽光量に基づく充電所要時間をユーザに知らせ、端末を効率的に利用できる環境を構築することにより、太陽光発電パネルのセルサイズを大きくすることなく必要な発電量を賄うとともに、ユーザに利便性を与えることができる端末装置を提供することにある。
【課題を解決するための手段】
【０００８】
本発明の端末装置は、太陽電池と、前記太陽電池により充電されるバッテリと、前記太陽電池の発電量を検知する第１の検知手段と、前記第１の検知手段により検知された前記太陽電池の発電量に対応する発電状態を表示する表示手段と、前記バッテリの残量を検知する第２の検知手段と、端末装置の所定の機能によって消費される消費電力量を検知する第３の検知手段と、前記第２の検知手段により検知されたバッテリの残量が第１の所定値以下であると判定された場合に、前記第１の検知手段により検知された太陽電池の発電量と、前記第３の検知手段により検知された消費電力量とに基づいて、前記端末装置の所定の機能を所定時間駆動するために必要な充電時間を算出する算出手段とを備え、前記表示手段は、前記算出された充電時間を表示する。
【０００９】
好適には、他の端末装置とデータ通信を行う通信手段と、データ通信中、前記第２の検知手段により検知されたバッテリの残量が前記第１の所定値以下であると判定された場合に、前記通信手段によるデータの受信を停止する緊急停止モードに設定する制御手段とを備えている。
【００１０】
好適には、前記緊急停止モードが設定されている場合において、制御手段は、前記端末装置が備える特定キーが押下されたことを検知したときに前記緊急停止モードを解除する。
【００１１】
好適には、前記表示手段は、前記第１の検知手段により検知された太陽電池の発電量に基づき演算される通話可能時間を表示する。
【００１２】
好適には、前記制御手段は、前記第２の検知手段により検知されたバッテリの残量が前記第１の所定値より大きい値でかつ第２の所定値以下であると判断された場合に、前記端末装置の消費電力を低減する省電力モードを設定する。
【００１３】
好適には、前記制御手段は、前記省電力モード設定時において、あらかじめユーザによって入力され取得される環境情報に基づき、前記端末装置の機能の制御を行う。
【発明の効果】
【００１４】
本発明によれば、太陽光量に基づく充電所要時間をユーザに知らせる環境を構築することにより、太陽光発電パネルのセルサイズを大きくすることなく必要な発電量を賄うとともにユーザに利便性を与えることができる。
【発明を実施するための最良の形態】
【００１５】
以下、本発明の実施形態を図面に関連付けて説明する。
【００１６】
図１は、本発明の実施の形態にかかわる端末装置の内部構成を示すブロック図である。ここでは、端末装置として、携帯電話端末が例示されている。
【００１７】
図１において、携帯電話端末は、制御部１を制御中枢とし、ＲＦ（Radio Frequency）回路部２と、音声処理部３と、記憶部４と、操作部５と、画像処理部６と、メインＬＣＤ（Liquid Crystal Display Device）７と、サブＬＣＤ８と、CCD（Charge‐coupled device）センサにより構成される撮像部９と、電源回路部１０とにより構成される。
【００１８】
ＲＦ回路部２は、接続される携帯電話アンテナ２０を介して送信されるデータを高周波変調して電波として送信し、あるいは携帯電話アンテナ２０を介して受信される電波を検波してデータを取得し、制御部１へ出力する、他の端末装置との通信を行う本発明の構成要件としての通信手段として動作する。
また、ＲＦ回路部２は、接続されるＧＰＳ（Global Positioning System）アンテナ２１を介して受信される現在位置測位のため電波を受信して制御部１へ出力する。
【００１９】
音声処理部３は、接続されるマイクロフォン（マイク）２２により集音される音声信号から音声データを生成して制御部１に出力し、あるいは制御部１により出力される音声データから音声信号を生成し、接続されるスピーカ２３を介して出力する。
【００２０】
記憶部４には、制御部１から読み出され実行されるプログラム、および作業データが割り当てられ記憶されている。
【００２１】
操作部５は、送信キーを含むキースイッチがユーザによって押下されたことを検知し、そのデータを認識して制御部１へ出力する。
【００２２】
画像処理部６は、制御部１により生成される画像情報を表示信号に変換し、メインＬＣＤ７、あるいはサブＬＣＤ８に表示する。
画像処理部６はまた、撮像部９により撮影され取り込まれる画像信号から画像情報を生成して制御部１に出力する。
【００２３】
電源回路部１０には、バッテリ２４と太陽電池２５とが接続され、電源回路部１０は、制御部１による制御の下、バッテリ２４の電池残量、あるいは消費電力量を検知し、また、太陽電池２５の発電量を検知して充電制御等の制御を行う。
なお、制御部１は、バッテリ２４の残量が第１の所定値以下であると判定された場合に、検知された太陽電池２５の発電量と、検知された消費電力量とに基づいて、接続される負荷を所定時間駆動するために必要な充電時間を算出し、当該算出された充電時間を画像表示する制御手段として動作する。
【００２４】
ここで、負荷とは、制御部１に接続される周辺回路ブロック２、３、５、６により実現される各種機能、たとえば、通話（通信を含む）、メインＬＣＤ表示（サブＬＣＤ表示）、撮影、キー（操作部５）照明、キー操作音、バイブモータ等の少なくともいずれか１つにより使用されるものをいう。
【００２５】
図２は、図１に示す太陽電池２５のセル形状、およびバスラインの詳細を説明するために引用した図である。
【００２６】
太陽電池２５は、周知のように、太陽エネルギーを電気エネルギーに変換する機能を有し、図２（ａ）、（ｂ）に示されるように、所望の電力を得るために直列に接続される所定数の太陽電池セル２５１ａ〜２５１ｎ（太陽光発電パネル２５０）が実装されており、この太陽電池セル２５１ａ〜２５１ｎで発生した電力を、図示せぬブロッキングダイオードを介してバスライン２５２に供給するように構成される。
なお、バスライン２５２と太陽電池セル２５１ａ〜２５１ｎの電極との間は、半田を溶融することにより接合されている。
【００２７】
ここで、太陽電池２５の発電量について簡単に説明する。晴天時の太陽光のエネルギーは地上において太陽光に直交する面であれば１ｋＷ／ｍ２となり、計算上、この数値が用しられる。地球上のどの地域でも直接光は同じ値として扱っている。
太陽電池の変換効率は、現状、１５％〜２１％程度である。仮に４．５ｃｍ×４ｃｍ＝０．００１８ｍ２の太陽電池セルであれば、１８％の変換効率とした場合、０．３２４Ｗの発電電力となる（１ｋＷ／ｍ２×０．００１８ｍ２×０．１８＝０．３２４Ｗ）。
【００２８】
ところで、携帯電話に搭載される太陽電池セルは、たとえば、１枚の太陽電池セルで０．５Ｖの電圧を出力する設定になっており、この太陽電池セルのサイズに比例して電流値が増加する関係になっている。
また、携帯電話で使用されるバッテリ２４の電圧が３．７Ｖであるため、上記した太陽電池セルを直列にして電圧を稼ぎ、直結してバッテリ２４に接続することになる。
このことにより、太陽電池セルを８個乃至９個直列接続することで４Ｖまたは４．５Ｖの出力が設定電圧として得ることができる。上記の４．５ｃｍ×４ｃｍのセルを太陽電池セル５ｍｍ×４ｃｍ×９個に設定すると、４．５Ｖで０．０７２Ａ（７２ｍＡ）の電流を得ることができる。
【００２９】
ここで、太陽電池２５の天候による影響について簡単に説明する。一般的には晴天時を１００％とすれば、曇天時は４０％程度、雨天時は１０％といわれており、その値を下回る場合もある。単純に電流値に換算すると、晴天時に７２ｍＡであれば、曇天時は２８．８ｍＡ、雨天時は７．２ｍＡとなる。
【００３０】
ところで、天候での発電量は空の上体でバラツキが大きく発電量と天候の関連だけでは表現が難しい。また、携帯電話の太陽電池２５が日陰に隠れたり、入射光の角度が浅くなったりすることで起こる反射で、太陽電池セルに到達する光の量が減少することになる。
したがって、ユーザは、現在の環境下でどの程度の発電が出来る状態かを把握することで、携帯電話の使用条件を改善し、あるいは太陽光による受光を諦めることを判断することができる。
【００３１】
図３は、図１に示す制御部１の内部構成を機能展開して示したブロック図である。なお、図３中、図１に示すブロックと同一番号が付されたブロックは、図１に示すブロックと同じ名称および機能を持つブロックとする。
図３に示されるように、制御部１の内部構成を機能的に大別すれば、発電量検知部１１と、バッテリ残量検知部１２と、消費電流検知部１３と、主制御部１４とに区分される。
【００３２】
発電量検知部１１は、接続される太陽電池２５の発電量を検知して主制御部１０４へ出力する第１の検知手段として機能し、また、バッテリ残量検出部１２は、太陽電池２５により充電されるバッテリ２４の残量を検知して主制御部１４へ出力する第２の検知手段として機能する。
一方、消費電流検知部１３は、接続される負荷３０によって消費される消費電力を検知し、主制御部１４へ出力する第３の検知手段として機能する。
【００３３】
主制御部１４は、発電量検知部１１により検知された太陽電池２５の発電量を演算し、発電状態、もしくはバッテリ２４の満充電に要する時間を画像表示させる手段として機能する。
主制御部１４は、バッテリ残量検知部１２により検知されたバッテリ２４の残量が第１の所定値以下であると判定された場合に、発電量検知部１１により検知された太陽電池２５の発電量と、消費電流検知部１３により検知された消費電力とに基づいて、負荷３０を所定時間駆動するために必要な充電時間を算出し、当該算出された充電時間を画像表示させる手段としても機能する。
【００３４】
主制御部１４は、更に、データ通信中、バッテリ残量検知部１２により検知されたバッテリ２４の残量が第１の所定値以下であると判定された場合にデータの受信を停止する緊急通信モードに設定し、あるいは、バッテリ残量検知部１２により検知されたバッテリ２４の残量が、第１の所定値より大きい値である第２の所定値以下であると判定された場合に、負荷３０の消費電力を低減する省電力モードに設定する制御手段としても機能する。
【００３５】
このため、主制御部１４は、バッテリ残量閾値テーブル１４１と、演算部１４２と、画面情報生成部１４３と、緊急通信モード設定部１４４と、省電力モード設定部１４５と、環境情報設定テーブル１４６と、モード制御部１４７と、により構成される。
【００３６】
バッテリ残量閾値テーブル１４１には、バッテリ２４の残量に関する閾値、すなわち、上記した第１の所定値と第２の所定値があらかじめ設定されている。これら閾値は、携帯端末の運用状態により異なり、設定値は任意とする。
演算部１４２は、バッテリ残量検知部１２出力、発電量検知部１１出力、消費電流検知部１３出力が入力として供給され、バッテリ残量検知部１２により検知されたバッテリ２４の残量がバッテリ残量閾値テーブル１４１に設定された閾値（第１の所定値）以下であると判定された場合に、発電量検知部１１により検知された太陽電池２５の発電量と、消費電流検知部１３により検知された消費電力とに基づいて、負荷３０を所定時間駆動するために必要な充電時間を算出して画面情報生成部１４３、緊急通信モード設定部１４４、省電力モード設定部１４５を制御する。
【００３７】
画面情報生成部１４３は、演算部１４２により算出された値に基づきあらかじめ用意された画像情報を選択して、表示手段としてのメインＬＣＤ７あるいはサブＬＣＤ８へ表示のために出力する。
【００３８】
緊急通話モード設定部１４４は、データ通信中、演算部１４２出力に基づき、バッテリ残量検知部１２により検知されたバッテリ２４の電池残量がバッテリ残量閾値テーブル１４１に設定されてある第１の所定値以下であると判定された場合に、データの受信を停止する緊急通信モードに設定し、モード制御部１４７を駆動する。
【００３９】
また、省電力モード設定部１４５は、演算部１４２出力に基づき、バッテリ残量検知部１２により検知されたバッテリ２４の電池残量がバッテリ残量閾値テーブル１４１に設定されてある第１の所定値より大きい第２の所定値以下であると判定された場合に、負荷３０の消費電力を低減する省電力モードに設定し、モード制御部１４７を駆動する。
【００４０】
環境情報設定テーブル１４６には、あらかじめユーザにより入力され取得される省電力モード設定時の省電力項目、たとえば、メインＬＣＤ７あるいはサブＬＣＤ８表示の輝度を下げる、サブＬＣＤ８の表示ＯＦＦ、キー照明ＯＦＦ、キー操作音ＯＦＦ等の制御項目を含む環境情報が格納されている。なお、環境情報は、これらのうちの少なくともいずれか１つ、又は、その他任意の情報の組み合わせで良い。
【００４１】
モード制御部１４７は、緊急通信モード設定部１４４、あるいは省電力モード設定部１４５により設定された、緊急通信モード、あるいは省電力モードに従い、負荷３０を制御する。
【００４２】
緊急通信モードにあっては、データ受信機能を停止し、更に、メインＬＣＤ７あるいはサブＬＣＤ８に、通話可能（待機）時間を表示し、この場合、表示機能及び、緊急通信モードを解除するためのキーの押下の検知機能等の必要最小限の機能以外に携帯端末が持つ機能をＯＦＦする。
また、省電力モードにあっては、環境設定情報テーブル１４６に格納されてある制御項目（メインＬＣＤ７あるいはサブＬＣＤ８表示の輝度を下げる、サブＬＣＤ８の表示ＯＦＦ、キー照明ＯＦＦ、キー操作音ＯＦＦ等）に従う制御を行う。モード制御部１４６よるこれらの制御は、ユーザによりあらかじめ入力される環境情報に基づく。
【００４３】
（実施形態１）
図４は、本発明の実施の形態１にかかわる携帯端末装置の動作を説明するために引用した図である。具体的には、太陽電池２５の充電状態を表示するための制御部１による処理の流れがフローチャートで示されている。また、図５は、充電状態によってあらかじめ用意された画面表示（画像データＡ〜Ｅ）の例を示す。
以下、図４、図５を参照しながら、太陽電池２５の充電状態を表示するための制御部１の動作について詳細に説明する。
【００４４】
太陽光の照射により、まず、発電量検知部１１は、太陽電池２５の発電量（充電電流）を検知し（Ｓ４０１）、充電電流が出力されていた場合（Ｓ４０２“Ｙｅｓ”）、その電流値に関するデータを主制御部１４へ出力する。
上記した発電量に関するデータは、主制御部１４の演算部１４２に供給され、演算部１４２は、充電電流が０の場合（Ｓ４０２“Ｎｏ”）、画面情報生成部１４３を介し、図５に示す画像データＥを選択表示するように制御する（Ｓ４０３）。
【００４５】
一方、発電量が検知された場合（Ｓ４０２“Ｙｅｓ”）、続いて、演算部１４２は、たとえば、充電電流が判定閾値として設定される７２ｍＡ以上あるか否かを判定する（Ｓ４０４）。
ここで、充電電流が７２ｍＡ以上あると判定された場合（Ｓ４０４“Ｙｅｓ”）、演算部１４２は、画面情報生成部１４３が画像データＡを選択出力するように制御する（Ｓ４０５）。また、充電電流が７２ｍＡ以下であると判定された場合（Ｓ４０４“Ｎｏ”）、演算部１４２は、更に、充電電流が２８．８ｍＡ以上あるか否かを判定する（Ｓ４０６）。
【００４６】
ここで、充電電流が２８．８ｍＡ以上あると判定された場合（Ｓ４０６“Ｙｅｓ”）、演算部１４２は、画面情報生成部１４３が画像データＢを選択出力するように制御し（Ｓ４０７）、２８．８ｍＡ以下であると判定された場合（Ｓ４０６“Ｎｏ”）、演算部１４２は、更に、充電電流が７．２ｍＡ以上あるか否かを判定する（Ｓ４０８）。
ここで、充電電流が７．２ｍＡ以上あると判定された場合、演算部１４２は、画面情報生成部１４３が画像データＣを選択出力するように制御し（Ｓ４０９）、７．２ｍＡ以下であると判定された場合、画像データＤを選択出力するように制御する（Ｓ４１０）。
【００４７】
なお、上記した画像データＡ〜Ｅは、たとえば、記憶部４にあらかじめ用意され、画面情報生成部１４３により選択され、メインＬＣＤ７、あるいはサブＬＣＤ８に表示されるものとする。
また、上記した判定閾値である２８．８ｍＡ、７．２ｍＡは、ともに太陽電池２５の天候による影響を考慮した発電量に対応する充電電流値を示し、晴天時を７２ｍＡとした場合、曇天時、雨天時のそれぞれの発電量である。
【００４８】
上記した実施の形態１によれば、ユーザに日射量の違いにより発電量が大きく異なることを認識させることができ、あるいはその状況下で使える機能、およびその機能について利用可能時間を認識させる意味で、充電の状態（発電量）を、たとえば、「優」、「良」、「可」、「不可」の４段階でレベル分け表示し、あるいは、バッテリ２４の満充電までの時間を表示することで、ユーザに太陽電池２５の発電状態を認識させることが可能になる。
また、上記したレベル分け表示をパーセント表示で代替してもよい。更に、満充電までの時間表示で代替してもよいが、このとき、安定した晴天、曇天等のときは特に問題はないが、天候が刻々と変化する場合は、ある一定時間（たとえば、５分毎）の平均値を算出し、表示するのが望ましい。
【００４９】
なお、ここでは、判定閾値を発電量（充電電流）のみとしたが、発電量検知時に、消費電流検知部１３により負荷３０の消費電流も検知し、発電量と消費電力量との差分を判定閾値としてもよい。
このとき、演算部１４２は、発電量検知部１１により検知された太陽電池２５の発電量と消費電流検知部１３により検知された消費電力とに基づいて負荷３０を所定時間駆動するために必要な充電時間を算出し、当該充電時間を画像表示するために画面情報生成部１４３を制御することになる。
また、発電量と消費電力との差分と充電時間との対応関係について定義された情報が記憶部４にあらかじめ格納され、演算部１４２がこの情報を参照しても同じ効果が得られる。
【００５０】
（実施形態２）
図６は、本発明の実施形態２にかかわる携帯端末装置の動作を説明するために引用した図である。具体的には、主制御部１４による省電力モード、緊急通信モードへの切替え処理の流れがフローチャートで示されている。また、図７は、緊急通信モードにおいて、あらかじめ用意された通信可能時間の画面表示の一例を示す図である。
以下、図６、図７を参照しながら、主制御部１４による省電力モード、緊急通信モードへの切替え処理の流れを詳細に説明する。
【００５１】
主制御部１４は、演算部１４２で、太陽電池２５による発電量と負荷３０の消費電力量を入力情報として得ている他に、バッテリ残量検知部１２から、バッテリ２４の残量αが入力情報として供給されている（Ｓ６０１）。
演算部１４２は、まず、バッテリ残量閾値テーブル１４１に格納されてある電池残量に関する閾値データβ（たとえば、ローバッテリ状態の値）を参照し、バッテリ残量検知部１２によって検知されたバッテリ２４の残量αと、上記した閾値β（第１の所定値）とを比較する（Ｓ６０２）。ここで、バッテリ２４の残量が閾値βより大きいと判定された場合（Ｓ６０２“α＞β”）、更に、バッテリ２４の残量と、バッテリ残量閾値テーブル１４１に格納されてある、先の閾値βより大きい、たとえば、満充電時の半分の値となる閾値γ（第２の所定値）とを比較する（Ｓ６０３）。ここで、閾値γが満充電時の半分の値というのは、一例であり、閾値γの値は、携帯電話の設計諸条件により変化する値である。
【００５２】
ここで、電池残量αが満充電時の半分以下であると判定された場合（Ｓ６０３“α≦γ”）、演算部１４２は、省電力モード設定部１４５を起動して省電力モードへ移行するための制御を実行する（Ｓ６０４）。
このとき、モード制御部１４７は、環境情報設定テーブル１４６を参照し、あらかじめユーザにより設定入力されてある、たとえば、メインＬＣＤ７あるいはサブＬＣＤ８表示の輝度を下げる、サブＬＣＤ８の表示ＯＦＦ、キー照明ＯＦＦ、キー操作音ＯＦＦ等からなる、消費電力を低減する制御項目に従い、省電力モードで負荷３０を制御する。
なお、ステップＳ６０３の処理で、バッテリ２４の残量αが満充電時の半分より多いと判定された場合（Ｓ６０３“α＞γ”）、モード制御部１４７は、通常のモードで負荷３０を制御する。
【００５３】
一方、ステップＳ６０２の処理において、バッテリの残量αが閾値β以下と判定された場合（Ｓ６０２“α≦β”）、演算部１４２は、緊急通信モード設定部１４５を起動して緊急通信モードへ移行するための制御を実行する。
すなわち、モード制御部１４７は、データ受信機能を停止する緊急通信モード設定を行う（Ｓ６０５）。
また、図７（ａ）、図７（ｂ）、図７（ｃ）に示されるように、メインＬＣＤ７、あるいはサブＬＣＤ８に、残通話、あるいはメール可能（待機）時間を表示する（Ｓ６０６）。このとき、表示機能及び、緊急通信モードを解除するためのキーの押下の検知機能等の必要最小限の機能以外に携帯端末が持つ機能はＯＦＦされる。
【００５４】
なお、上記した緊急通信モードは、通話キーが押下されたことを検知したときに解除される（Ｓ６０７、Ｓ６０８）。このとき、ユーザが、日照レベルによりどの程度充電時間を要するかを学習した場合に、より使い勝手が良くなる。
上記した画面表示により、ユーザは、どのくらい待てばどのくらい通話が可能かについて目安がつき、そのため、その場の状況を判断し、現在充電中の携帯電話を使用すべきか否かの判断が可能になる。また、図７（ｄ）（ｅ）に示されるように、単純に通話可能時間の表示を行ってもよい（直接表示、アイコンによる間接表示）。
【００５５】
上記した実施の形態２によれば、バッテリ２４の残量と、太陽電池２５の発電量とを検出し、自動的に省電力モードに移行させる構成としたことにより、ユーザの負担が軽減され、また、たとえば、液晶輝度の低減、あるいはキー照明やキー操作者のＯＦＦ等の制限を加えることにより、バッテリ２４の延命化が可能になる。
【００５６】
また、バッテリ２４の残量が少なくなり、バッテリ２４の残量と、太陽電池２５の発電量とを検出することにより自動的に緊急通信モードに移行させることにより、バッテリ２４の残量により表示を切り替え、たとえば、「１分通話可能：１０分待機」、「３分通話可能：１時間待機」等の表示を行うことで、待機可能な時間か否かの情報を判断材料としてユーザに提供できる。
さらに、表示について、メール使用可能時間等を並列に表示し、あるいは選択表示することにより、相手が話し中の場合、あるいは着信拒否等を行った場合でもメール連絡を確実に実行可能となる。「緊急通信」モードへの移行は、ユーザが手動で選択することも可能である。
【００５７】
なお、図３に示す主制御部１４は、たとえば、マイコン等により構成され、マイコン内蔵のメモリ（ＲＯＭ）に記録されたプログラムを逐次読み出し実行することにより、本発明の端末装置が持つ機能を実現するものとする。
このとき、上記した発電量検知部１１と、バッテリ残量検知部１２と、消費電流検知部１３のそれぞれは、マイコンの入力ポート（不図示）に接続され、検知されたデータがマイコン内に取り込まれるものとし、また、バッテリ残量閾値テーブル１４１と、環境情報設定テーブル１４６は、マイコン内蔵のメモリ（ＲＡＭ）に割り付けられ記憶されるものとする。
【図面の簡単な説明】
【００５８】
【図１】本発明の実施の形態にかかわる端末装置の内部構成を示すブロック図である。
【図２】図１に示す太陽電池のセル形状、およびバスラインの詳細を説明するために引用した図である。
【図３】図１に示す制御部の内部構成を機能展開して示したブロック図である。
【図４】実施形態１にかかわる携帯端末装置の動作を説明するために引用したフローチャートである。
【図５】充電状態によってあらかじめ用意された画面表示の例を示す図である。
【図６】実施形態２にかかわる携帯端末装置の動作を説明するために引用したフローチャートである。
【図７】緊急通信モードにおいて、あらかじめ用意された通信可能時間の画面表示の例を示す図である。
【符号の説明】
【００５９】
１…制御部、２…ＲＦ回路部、３…音声処理部、４…記憶部、５…操作部、６…画像処理部、７…メインＬＣＤ、８…サブＬＣＤ、９…撮像部、１０…電源回路部、１１…発電量検知部、１２…バッテリ残量検知部、１３…消費電流検知部、１４…主制御部、２４…バッテリ、２５…太陽電池、３０…負荷、１０１…電源切替え制御部、１４１…バッテリ残量閾値テーブル、１４２…演算部、１４３…画面情報生成部、１４４…緊急通信モード設定部、１４５…省電力モード設定部、１４６…環境情報設定テーブル、１４７…モード制御部。
【図１】
2008042772.tif 000003
【図２】
2008042772.tif 000004
【図３】
2008042772.tif 000005
【図４】
2008042772.tif 000006
【図５】
2008042772.tif 000007
【図６】
2008042772.tif 000008
【図７】
2008042772.tif 000009